(57)【特許請求の範囲】
【請求項１】
外力により変形可能な壁面と、外部から液体を補充可能な補充口と、前記壁面の変形に伴い内部の前記液体を漏出可能な漏出口と、を有するタンク部と、
履物底面側に開口しており、かつ、前記漏出口に接続しており前記タンク部から漏出した前記液体の液体溜りを形成する凹部と、
少なくとも前記凹部の周りに配置され、前記凹部より下方に突出しており着地時に地面に接触する着地面と、を有する履物底部。
【請求項２】
前記凹部と前記着地面とを前記履物底面側に有し、前記タンク部を着脱自在に収容する底部本体部と、を有する請求項１に記載の履物底部。
【請求項３】
前記履物底面側から見て前記凹部が配置される部分における前記底部本体部の上下方向の厚みは、前記履物底面側から見て前記凹部に隣接する前記着地面が配置される部分における前記底部本体部の上下方向の厚みより薄いことを特徴とする請求項２に記載の履物底部。
【請求項４】
前記凹部には、前記液体を保持する多孔質体が配置される請求項１から請求項３までのいずれかに記載の履物底部。
【請求項５】
前記多孔質体の材質は、前記着地面の材質よりも小さい圧縮弾性率を有することを特徴とする請求項４に記載の履物底部。
【請求項６】
前記タンク部は、前記漏出口からの前記液体の漏出および漏出停止を切り換える切り換え構造を有する請求項１から請求項５までのいずれかに記載の履物底部。
【請求項７】
前記履物底面側から見て、前記凹部および前記着地面の少なくとも一部は、前記タンク部と重なることを特徴とする請求項１から請求項６までのいずれかに記載の履物底部。
【請求項８】
請求項１から請求項７までのいずれかに記載の履物底部と、
前記履物底部に接続する履物上部と、を有する履物。
【発明の詳細な説明】
【技術分野】
【０００１】
本発明は、履物底部およびこれを有する靴やサンダルなどの履物に関する。
【背景技術】
【０００２】
サンダルの底に起伏を設けることで、砂浜などに特徴的な足跡を形成するビーチサンダルが提案されている（特許文献１など参照）。このようなビーチサンダルは、サンダルの底面に起伏を形成し、やわらかい砂地などにサンダルの足跡を形成するものである。
【０００３】
一方、コンクリートのプールサイドのような固い地面に対して足跡を形成するビーチサンダルとして、ビーチサンダルの底の外形状をキャラクターに模したものが提案されている（特許文献２）。このようなビーチサンダルでは、これを履いた人が、ビーチサンダルの底が濡れた状態でプールサイドを歩くことにより、ビーチサンダルの外形状を転写した足跡が形成される。
【先行技術文献】
【特許文献】
【０００４】
【特許文献１】実開昭５４−９８３５０号公報
【特許文献２】実用新案登録第３１２６４７９号公報
【発明の概要】
【発明が解決しようとする課題】
【０００５】
しかしながら、従来のビーチサンダルの底構造では、すぐに底面の水分が欠乏するため、多くの足跡を継続的に形成することが難しいという課題がある。また、着地面により足跡を形成するため、水分を地面に転写しようとする場合、スリップしやすいという課題がある。
【０００６】
本発明は、このような課題を解決するためになされたものであり、スリップが防止でき、かつ、固い地面であっても継続的に足跡が形成することができる履物底部および履物を提供する。
【課題を解決するための手段】
【０００７】
本発明に係る履物底部は、外力により変形可能な壁面と、外部から液体を補充可能な補充口と、前記壁面の変形に伴い内部の前記液体を漏出可能な漏出口と、を有するタンク部と、
履物底面側に開口しており、かつ、前記漏出口に接続しており前記タンク部から漏出した前記液体を溜める液体溜りを形成する凹部と、
少なくとも前記凹部の周りに配置され、前記凹部より下方に突出しており着地時に地面に接触する着地面と、を有する。
【０００８】
本発明に係る履物底部は、タンク部を有しており、タンク部から漏出した液体が凹部へ伝わる構造を有している。このため、このような履物底部を有する履物を履いて歩くことにより、タンク部から伝わる凹部の液体が地面に対して転写され、液体による足跡が継続的に地面に形成される。また、液体溜りを形成する凹部の周りには、凹部よりも下方に突出する着地部が形成されているため、着地部が着地時に地面に接触することにより、スリップが防止される。
【０００９】
また、たとえば、前記凹部と前記着地面とを前記履物底面側に有し、前記タンク部を着脱自在に収容する底部本体部と、を有してもよい。
【００１０】
タンク部が底部本体部に対して着脱自在であることにより、タンク部を底部本体部から取り外し、容易にタンク部内に液体を補充することができる。
【００１１】
また、たとえば、前記履物底面側から見て前記凹部が配置される部分における前記底部本体部の上下方向の厚みは、前記履物底面側から見て前記凹部に隣接する前記着地面が配置される部分における前記底部本体部の上下方向の厚みより薄くてもよい。
【００１２】
凹部に対応する領域における底部本体部の厚みを薄くすることにより、着地時において、凹部を大きく下方に沈みこませることができる。このため、このような履物底部は、凹部の液体を、より確実に地面に転写して足跡を形成することができる。
【００１３】
また、たとえば、前記凹部には、前記液体を保持する多孔質体が配置されていてもよい。
【００１４】
このような多孔質体を有する履物底部は、着地時に転写される液体の量を制御しやすいため、より安定して継続的に、液体による足跡を形成することができる。
【００１５】
また、たとえば、前記多孔質体の材質は、前記着地面の材質よりも小さい圧縮弾性率を有してもよい。
【００１６】
このような多孔質体は、着地時における着地面の変形を、多孔質体が妨げる問題を防止できる。そのため、このような多孔質体および着地面を有する履物底部は、クッション性が良く、また、確実に液体による足跡を形成する履物底部を実現できる。
【００１７】
また、たとえば、前記タンク部は、前記漏出口からの前記液体の漏出および漏出停止を切り換える切り換え構造を有してもよい。
【００１８】
このような切り換え構造を有する履物底部は、床面に液体を転写すべきでないスーパーのような屋内施設などでは、切り換え構造によりタンク部からの液体の漏出を停止し、たとえタンク部に液体が残っている状態であっても、足跡を形成しないようにすることができる。
【００１９】
また、たとえば、前記履物底面側から見て、前記凹部および前記着地面の少なくとも一部は、前記タンク部と重なっていてもよい。
【００２０】
凹部とタンク部が重なっていることにより、タンク部の漏出口から凹部への液体の経路が形成しやすく、構造を単純にすることができる。また、着地面とタンク部とが重なっていることにより、タンク部の壁面に着地時の力を容易に伝えて液体を漏出させることができるため、このような履物底部は、確実に液体による足跡を形成する履物底部を実現できる。
【００２１】
また、たとえば、本発明に係る履物は、上記いずれかに記載の履物底部と、
前記履物底部に接続する履物上部と、を有する。
【００２２】
本発明に係る履物は、履物底部と履物上部により、履物を履く人の足の一部または全体を収容する。本発明に係る履物としては、靴、サンダル、ブーツ、草履、シューズなどがあげられるが、特に限定されない。
【図面の簡単な説明】
【００２３】
【図１】図１は、本発明の一実施形態に係る履物の底面図および側面図である。
【図２】図２は、図１に示す履物に含まれる履物底部の分解図である。
【図３】図３は、図１および図２に示す履物底部に含まれるタンク部を説明する概念図である。
【図４】図４は、図１および図２に示す履物底部に含まれる履物底面、凹部および多孔質体を示す概念図である。
【図５】図５は、本発明の第２実施形態に係る履物に含まれる履物底部のタンク部を示す概略図である。
【図６】図６は、本発明の第２実施形態に係る履物に含まれる履物底部の履物底面、凹部および多孔質体を示す概念図である。
【図７】図７は、本発明の第３実施形態に係る履物の底面図である。
【図８】図８は、図７に示す履物の使用状態図を示す概念図である。
【発明を実施するための形態】
【００２４】
第１実施形態
図１（ａ）は、本発明の第１実施形態に係る履物１０の底面図であり、図１（ｂ）は履物１０の側面図である。図１（ｂ）に示すように、履物１０は、履物１０を履いた人の踵が露出するサンダルであるが、本発明に係る履物としてはこれに限定されず、スニーカーなどの靴や、シューズやスリッパのような上履きであってもよい。
【００２５】
図１（ｂ）に示すように、履物１０は、履物上部６０と、履物底部２０とを有する。履物底部２０は、履物１０におけるソールの部分であり、後述するように底部本体部３０とタンク部５０等を有する。
【００２６】
履物上部６０は、履物底部２０に接続しており、アッパー６２と、ヒールバンド６４を有する。アッパー６２は、履物１０を履いた人のつま先や足の甲をカバーする。ヒールバンド６４は、履物１０を履いた人の踵の上部に引っ掛けて使用される。なお、履物１０の形状としては、図１（ｂ）に示される形状のみには限定されず、踵を覆う形状を有するものや、鼻緒形状の履物上部を有するものなど、他の形状であってもよい。
【００２７】
図２は、図１（ｂ）に示す履物底部２０の分解図である。図２に示すように、履物底部２０は、タンク部５０と、多孔質体３５と、底部本体部３０とを有する。タンク部５０における後方の一部は、底部保体部４０から露出している。タンク部５０は、図１（ｂ）において太矢印７０で示されるように後方に引き抜くことにより、履物底部２０に対して分離できるようになっている。
【００２８】
図３は、履物１０におけるタンク部５０を説明する概念図である。図３（ａ）は、タンク部５０を履物底面側３０ｂ（下方）から見た図である。図３（ｂ）は、タンク部５０が有する切り換え構造５８を示す図である。図３（ｃ）は、タンク部５０を履物上部側３０ａ（上方）から見た図である。
【００２９】
図２、図３（ａ）および図３（ｃ）に示すように、タンク部５０は、中空構造になっており、内部に液体を貯蔵できるようになっている。タンク部５０は、履物１０を履く人が履物底部２０を踏みつけた際の外力により変形可能な壁面５２を有する。タンク部５０の壁面５２の材質は、たとえば樹脂、金属、セラミックスなどであるが、特に限定されない。
【００３０】
実施形態に示すタンク部５０は、キャップ５４ａおよび切り替え機構５８を除き、ほぼ全体が同一の材質による壁面５２で構成されているが、タンク部５０の構成としてはこれには限定されない。また、タンク部５０は、壁面の一部分のみが、外力によって変形しやすくなっていてもよい。
【００３１】
図３（ｃ）に示すように、タンク部５０は、外部から液体を補充可能な補充口５４を有する。補充口５４には、補充口５４を塞ぐキャップ５４ａが取付られている。履物１０によって足跡を形成する場合、予め補充口５４から、タンク部５０内に液体を補充しておく。
【００３２】
図３（ｃ）に示すように、タンク部５０には空気孔５３が形成されている。空気孔５３からは、タンク部５０内に空気を導入できるようになっている。
【００３３】
図３（ａ）に示すように、タンク部５０の履物底面側には、タンク部５０内部の液体を漏出可能な漏出口５６が、複数（図３に示す例では８つ）形成されている。タンク部５０内の液体は、タンク部５０が壁面５２の変形に伴い押しつぶされることにより、漏出口５６から押し出される。
【００３４】
漏出口５６の直径は、たとえば０．１〜１０ｍｍ程度とすることができるが、特に限定されない。漏出口５６には、漏出口５６からの空気の流入を防止したり、漏出量を制御したりするフィルタや弁体が備えられていてもよい。漏出口５６の形状は、図３に示すような円形に限定されず、多角形状、スリット状その他の形状であってもよい。また、漏出口５６の数も特に限定されず、後述する凹部３４（図１（ａ）の大きさなどに応じて、適宜調整される。
【００３５】
図３（ａ）および図３（ｂ）に示すように、タンク部５０は、漏出口５６からの液体の漏出および漏出停止を切り換える切り換え構造５８を有する。切り換え構造５８は、略円盤状の開閉弁５８ａと、開閉弁５８ａから後方に突出する開閉レバー５８ｂとを有する。開閉弁５８ａは、軸５８ａｂを中心として回転できるように、タンク部５０内に取り付けられている。
【００３６】
開閉レバー５８ｂの一部は、タンク部５０の後方から、タンク部５０の外へ露出している。開閉レバー５８ｂを操作することにより、タンク部５０内の開閉弁５８ａが回転し、漏出口５６から液体が漏出する状態と、漏出口５６から液体が漏出しない状態が切り替えられる。
【００３７】
すなわち、開閉レバー５８ｂの操作により、開閉弁５８ａの貫通孔５８ａａが漏出口５６に重なる位置に移動すると、タンク部５０内の液体が漏出口５６から漏出する。これに対して、開閉レバー５８ｂの操作により、開閉弁５８ａの貫通孔５８ａａが漏出口５６とは重ならない位置に移動すると（図３（ａ）参照）、漏出口５６からの液体の漏出が停止する。なお、切り換え構造５８は、開閉レバー５８ｂの操作量に応じて、開閉弁５８ａの貫通孔５８ａａと漏出口５６との重複量を変更し、漏出口５６からの液体の漏出量を調整可能である。
【００３８】
図１（ａ）に示すように、履物１０を下方から見た場合に見える履物底面には、凹部３４と、着地面３６とが形成されている。また、凹部３４には、多孔質体３５が配置されている。
【００３９】
図２（ｃ）に示すように、履物１０は、凹部３４と着地面３６とを履物底面側に有しており、タンク部５０を着脱自在に収容する底部本体部３０を有する。底部本体部３０の内部には、後方に開口するタンク収容部３２が形成されており、タンク収容部３２には、タンク部５０が履物１０の後方から挿入される。
【００４０】
図１（ａ）および図１（ｂ）に示すように、凹部３４は、履物底面側に開口しており、多孔質体３５が、凹部３４の内部に配置されている。底部本体部３０の側面図である図２（ｃ）に示すように、凹部３４は、タンク部５０の下方であって、漏出口５６の直下に配置されている。
【００４１】
図４は、多孔質体３５（図４（ａ））および底部本体部３０（図４（ｂ））を履物底面側３０ｂ（下方）から見た図である。図４（ｂ）に示すように、凹部３４の上面である仕切り壁３３には、タンク部５０に対応する位置に液体経路３７が形成されている。したがって、図２（ｃ）に示す凹部３４は、液体経路３７を介して、タンク部５０の漏出口５６（図３（ａ）参照）に接続している。
【００４２】
図２（ｃ）、図４（ａ）および図４（ｂ）に示すように、凹部３４には、タンク部５０から漏出した液体が流入し、凹部３４は、タンク部５０から漏出した液体の液体溜りを形成する。凹部３４に配置される多孔質体３５は、凹部３４内の液体を保持するが、仮に多孔質体３５が配置されていなくても、凹部３４は、凹部３４の上面や側面の表面張力により、液体溜りを形成することができる。
【００４３】
なお、図２に示す底部本体部３０は、凹部３４とタンク部５０との間を仕切る仕切り壁３３を有するが、底部本体部３０は、仕切り壁３３を有さなくてもよい。この場合、凹部３４の上面は、タンク部５０における履物底面側３０ｂの面が構成し、凹部３４と漏出口５６とが直接接続する。このように、凹部３４と漏出口５６とは、直接接続していてもよく、図２（ｃ）および図４（ｂ）に示すように、液体経路３７を介して間接的に接続していてもよい。
【００４４】
図１（ａ）に示すように、凹部３４には、多孔質体３５が配置されている。図４（ａ）に示すように、多孔質体３５は、凹部３４の形状に応じた外形状を有しており、全体が凹部３４に収容されている。ただし、後述する第２実施形態に示すように、多孔質体３５は、一部が凹部３４の外に広がっていてもよい（図６等参照）。
【００４５】
図２（ｂ）および図２（ｃ）に示すように、多孔質体３５における履物底面側の面である多孔質体底面３５ａは、履物１０の着地面３６より上方に配置されている。多孔質体底面３５ａを着地面３６より上方に配置することにより、地面に対して、着地面３６が多孔質体底面３５ａより先に接することができるため、スリップを好適に防止できる。着地面３６から多孔質体底面３５ａまでの上下方向の距離は、特に限定されないが、たとえば０〜１０ｍｍ程度とすることができ、０．１〜５ｍｍ程度とすることが好ましい。
【００４６】
多孔質体３５の材質としては、特に限定されないが、ポリウレタン、ポリスチレン、ポリプロピレンなどの発砲プラスチックなどがあげられるが、特に限定されない。また、多孔質体３５の材質は、着地面３６の材質より小さい圧縮弾性率を有することが好ましい。これにより、たとえ多孔質体底面３５ａが、着地面３６と面一か、着地面３６より下方に位置していても、多孔質体３５は地面と接触することで容易に圧縮され、多孔質体３５からの水が広がる前に、着地面３６が地面に接触できる。したがって、このような履物１０は、凹部３４および多孔質体３５に対応した足跡を形成できるとともに、スリップを防止することができる。なお、圧縮弾性率の小さい多孔質体３５を着地面３６から下方に突出させることにより、液体の地面への転写量を増加させ、より明瞭な足跡を形成することができる。
【００４７】
図１（ａ）に示すように、履物１０の履物底面には、着地面３６が形成されている。図１（ａ）および図１（ｂ）に示すように、着地面３６は、凹部３４を除く履物底面の全体に広がっているが、着地面３６としてはこれに限定されず、少なくとも凹部３４の周りに配置されていればよく、履物底面の一部に配置されていてもよい。
【００４８】
図２（ｃ）に示すように、着地面３６は、凹部３４より下方に突出しており、着地時に地面に接触する。着地面３６の材質としては、たとえばゴム、エラストマー、合成樹脂などがあげられるが、特に限定されない。着地面３６は、底部本体部３０の他の部分より硬質の（圧縮弾性率が大きい）材料で構成されていてもよいが、底部本体部３０の他の部分と同じ材質で構成されていてもよい。また、着地面３６の空隙率は、多孔質体３５の空隙率より小さいことが、着地面３６が水分を含んでしまうことを防止する観点から好ましい。
【００４９】
図２（ｃ）に示すように、底部本体部３０は、着地面３６、凹部３４、タンク収容部３２、仕切り壁３３を有する。履物底面側３０ｂから見て凹部３４が配置される部分における底部本体部３０の上下方向の厚み（Ｔ１１＋Ｔ１２）は、履物底面側から見て凹部３４に隣接する着地面３６が配置される部分における底部本体部３０の上下方向の厚み（Ｔ２１＋Ｔ２２）より薄い。したがって、底部本体部３０の上方から、履物１０を履いた人の体重が作用した場合、厚みが薄い凹部３４に対応する部分が下方に沈み込み、凹部３４の液体を確実に地面に転写することができる。
【００５０】
また、図１（ａ）に示すように、履物底面側からみて、凹部３４および着地面３６の少なくとも一部は、タンク部５０と重なっている。凹部３４とタンク部５０が上下方向に重なっていることにより、タンク部５０の漏出口５６（図３（ａ参照）から凹部３４への液体の経路が形成しやすく、構造を単純にすることができる。また、着地面３６とタンク部５０とが重なっていることにより、タンク部５０の壁面５２に、着地時の力を容易に伝えて、タンク部５０の内部の液体を漏出させることができる。このため、このような履物底部２０は、液体による足跡を、確実に地面に形成することができる。
【００５１】
以上のように、履物１０の履物底部２０は、タンク部５０を有しており、タンク部５０から漏出した液体が凹部３４へ伝わる構造を有している。このため、このような履物底部２０を有する履物１０を履いて歩くことにより、タンク部５０から伝わる凹部３４の液体が地面に対して転写され、液体による足跡が継続的に地面に形成される。また、液体溜りを形成する凹部３４の周りには、凹部３４よりも下方に突出する着地面３６が形成されているため、着地面３６が着地時に地面に接触することにより、スリップが防止される。
【００５２】
また、タンク部５０が底部本体部３０に対して着脱自在であることにより、タンク部５０を底部本体部３０から取り外し、容易にタンク部５０内に液体を補充することができる（図１（ｂ）参照）。なお、タンク部５０は、底部本体部３０と一体で着脱不可であってもよい。この場合、タンク部５０に液体を補充する補充口５４（図３（ｃ））は、タンク部５０の壁面５２が、履物１０の表面に露出する部分に形成される。
【００５３】
タンク部５０に補充される液体は、転写後蒸発して地面を汚しにくい水などが用いられる。野外において水を地面に転写することにより、路面温度の低下による環境効果も期待できる。ただし、タンク部５０に補充される液体は、着色されたインクなどであってもかまわない。
【００５４】
また、タンク部５０は、中空であるもののみには限定されず、微小な空隙が内部に形成されており液体を保持する発砲材料などを有していてもよい。また、履物１０は、底部本体部３０の上面側に設けられるインソール部を有していてもよい。
【００５５】
第２実施形態
図５は、第２実施形態に係る履物が有するタンク部１５０の底面図（図５（ａ））および上面図（図５（ｂ））であり、図６は、多孔質体１３５（図６（ａ））および底部本体部１３０（図６（ｂ））の底面図である。第２実施形態に係る履物は、タンク部５０の空気孔１５３、多孔質体１３５および底部本体部１３０の構造および形状が異なるが、その他については、第１実施形態に係る履物１０と同様である。第２実施形態に係る履物については、第１実施形態に係る履物１０との相違点を中心に説明を行い、共通点については説明を省略する。
【００５６】
図５（ａ）に示すように、タンク部１５０の後方には、空気孔１５３が形成されており、空気孔１５３には、開閉栓１５３ａが取り付けられている。履物を履いている人が、開閉栓１５３ａを操作することにより、タンク部１５０内への空気の流入の可否を、切り換えることができる。
【００５７】
開閉栓１５３ａは、タンク部１５０の漏出口１５６ａ、１５６ｂからの液体の漏出および漏出停止を切り換える切り換え構造を兼ねる。開閉栓１５３ａを操作することにより、タンク部１５０内への空気の流入を停止すると、タンク部１５０の壁面１５２に対して変形力が伝わり難くなり、漏出口１５６ａ、１５６ｂからの液体の漏出が停止する。
【００５８】
図５（ａ）に示すように、タンク部１５０の下面には、２つの領域に漏出口１５６ａ、１５６ｂが形成されている。漏出口１５６ａは、踵側の領域に形成されており、漏出口１５６ｂは、つま先側の領域に形成されている。漏出口１５６ａおよび漏出口１５６ｂは、いずれも第１実施形態に係る漏出口５６と同様に、タンク部１５０の壁面１５２の変形に伴い内部の液体を漏出する。
【００５９】
図６（ｂ）に示すように、底部本体部１３０の履物底面には、２つの凹部１３４ａ、１３４ｂが形成されている。凹部１３４ａは、踵側の領域に形成されており、凹部１３４ｂは、つま先側の領域に形成されている。凹部１３４ａ、１３４ｂには、図２に示すような仕切り壁３３が形成されていない。また、底部本体部１３０の履物底面における凹部１３４ａ、１３４ｂ以外の領域には、凹部１３４ａ、１３４ｂより下方に突出しており着地時に地面に接触する着地面１３６が形成されている。
【００６０】
図６（ａ）に示すように、多孔質体１３５は、下方突出部１３５ａ、１３５ｂと、中間層１３５ｃとを有する。多孔質体１３５は、図１に示す多孔質体３５とは異なり、その一部である中間層１３５ｃが、凹部１３４ａ、１３４ｂの外に配置される。すなわち、図６（ａ）に示す多孔質体１３５のうち、中間層１３５ｃはシート状となっており、図５（ａ）に示すタンク部１５０の下面の全体または大部分を覆っている。
【００６１】
これに対して、多孔質体１３５の下方突出部１３５ａは、中間層１３５ｃから下方に突出しており、凹部１３４ａの内部に配置される。また、多孔質体１３５の下方突出部１３５ｂは、中間層１３５ｃから下方に突出しており、凹部１３４ｂの内部に配置される。
【００６２】
図５（ａ）に示す漏出口１５６ａ、１５６ｂから漏出した液体は、図６に示す多孔質体１３５の中間層１３５ｃを介して、凹部１３４ａ、１３４ｂ内部の下方突出部１３５ａ、１３５ｂに伝わる。このように、図６（ｂ）に示す凹部１３４ａ、１３４ｂは、多孔質体１３５の中間層１３５ｃを介して、タンク部１５０の漏出口１５６ａ、１５６ｂに接続している。なお、多孔質体１３５の外側縁１３５ｄは、中間層１３５ｃから液体が漏れ出すことを防止するための封止処理がされていてもよい。
【００６３】
図５および図６に示すような第２実施形態に係る履物および履物底部も、第１実施形態に係る履物１０および履物底部２０と同様の効果を奏する。
【００６４】
第３実施形態
図７は、本発明の第３実施形態に係る履物２１０を示す底面図である。履物２１０は、図１（ａ）に示す履物１０と同様に、履物底面側に開口しておりタンク部から漏出した液体の液体溜まりを形成する凹部２３４と、凹部２３４の周りに配置されており凹部２３４より下方に突出する着地面２３６とを有する。凹部２３４内には、多孔質体２３５が配置されている。また、図７では示されていないが、履物２１０は、図１（ｂ）に示すタンク部５０と同様に、液体を溜めておくことが可能なタンク部を有する。
【００６５】
履物２１０の着地面２３６には、底溝２３６ａが形成されている。図７に示すように、履物２１０の着地面２３６は、平坦でなくてもよく、スリップ防止等のための底溝２３６ａが形成されていてもよい。また、たとえば、履物２１０の着地面２３６は、着地時に地面に接触する突起の頂部であってもよい。
【００６６】
図８は、履物２１０の使用状態を示す概念図である。図８に示すように、履物２１０を履いて歩くことにより、履物２１０の凹部２３４（図７参照）および多孔質体２３５の形状に対応する足跡２８０が、地面や床面に形成される。また、第３実施形態に係る履物２１０は、第１実施形態に係る履物１０との共通点については、第１実施形態に係る履物１０と同様の効果を奏する。
【００６７】
以上、実施形態を挙げて本発明を説明してきたが、本発明は上述した実施形態のみには限定されず、他の実施形態や変形例を多く含むことが言うまでもない。たとえば、凹部３４、１３４ａ、１３４ｂ、２３４によって形成される足跡の形状は、図１、図６、図７に示すものに限定されず、様々な形状、模様、文字およびこれらの組み合わせとすることができる。また、図７に示すように、履物２１０の外形状を、動物や想像上のキャラクターの足を模した形状とすることができ、また、その履物２１０により形成される足跡２８０の形状を、動物やキャラクターの足の形状に対応させてもよい。
【符号の説明】
【００６８】
１０、２１０…履物
２０…履物底部
３０、１３０…底部本体部
３０ａ…履物上部側
３０ｂ…履物底面側
３２…タンク収容部
３３…仕切り壁
３４、１３４ａ、１３４ｂ…凹部
３５、１３５、２３５…多孔質体
３６、２３６…着地面
３７…液体経路
５０、１５０…タンク部
５２、１５２…壁面
５３、１５３…空気孔
５４…補充口
５４ａ…キャップ
５６、１５６ａ、１５６ｂ…漏出口
５８…切り換え構造
５８ａ…開閉弁
５８ａａ…貫通孔
５８ａｂ…軸
５８ｂ…開閉レバー
６０…履物上部
６２…アッパー
６４…ヒールバンド
７０…太矢印
１５３ａ…開閉栓
１３５ａ…下方突出部
１３５ｂ…下方突出部
１３５ｃ…中間層
１３５ｄ…外側縁
２３６ａ…底溝
【要約】
【課題】スリップが防止でき、かつ、固い地面であっても継続的に足跡が形成することができる履物底部および履物。
【解決手段】外力により変形可能な壁面と、外部から液体を補充可能な補充口と、前記壁面の変形に伴い内部の前記液体を漏出可能な漏出口と、を有するタンク部と、履物底面側に開口しており、かつ、前記漏出口に接続しており前記タンク部から漏出した前記液体の液体溜りを形成する凹部と、少なくとも前記凹部の周りに配置され、前記凹部より下方に突出しており着地時に地面に接触する着地面と、を有する履物底部。
【選択図】図１【図１】
0006851661.tif 000002
【図２】
0006851661.tif 000003
【図３】
0006851661.tif 000004
【図４】
0006851661.tif 000005
【図５】
0006851661.tif 000006
【図６】
0006851661.tif 000007
【図７】
0006851661.tif 000008
【図８】
0006851661.tif 000009